(57)【要約】【課題】ある初期張力を与えてケーブルを配索した後、そのケーブルの張力を調整する手段を備えたキャリアプレートおよびそのキャリアプレートを備えたウインドレギュレータを提供する。【解決手段】基板１１と、その基板の表面に設けられた第１ケーブル係止部１２と、第２ケーブル係止部１３と、基板の端部に形成された窓ガラスの下端を係止する窓ガラスホルダー１４を保持する窓ガラス係止部１５とから構成されているキャリアプレート１０。このキャリアプレートの第１ケーブル係止部１２と第２ケーブル径止部１３とは離れて形成されており、かつ、それぞれにケーブル端部を連結したときに、窓ガラスの下端を支持する窓ガラスホルダーが窓ガラスの下端と平行にならないように構成されている。【選択図】図１
2007211468.tif 000002
【特許請求の範囲】
【請求項１】
ケーブルガイドを介して配索されるケーブルを用いたウインドレギュレータに用いられる窓ガラスを支持するキャリアプレートであって、
第１ケーブル係止部と、第２ケーブル係止部とを備えており、
キャリアプレートが窓ガラスに対して傾いて配置され、キャリアプレートを回転させ窓ガラスを固定することにより、適切な張力を得ることができる、キャリアプレート。
【請求項２】
窓ガラスの上下動を支持する窓ガラスランと摺動する突起を備えている請求項１記載のキャリアプレート。
【請求項３】
上下に備え付けられるケーブルガイドと、これらのケーブルガイドの間に配索されるケーブルと、そのケーブルを駆動するケーブル駆動装置と、請求項１記載のキャリアプレートとからなるウインドレギュレータ。
【請求項４】
前記ケーブルがインナーケーブルである請求項１記載のキャリアプレート。
【請求項５】
ケーブルガイドとケーブルをドアパネルに取り付け、そのケーブルに取り付けられたキャリアプレートを窓ガラスと係合できるように回転させることにより、ケーブルの張力を高める、請求項３記載のウインドレギュレータの取り付け方法。
【発明の詳細な説明】
【技術分野】
【０００１】
本発明はケーブル式ウインドレギュレータ用のキャリアプレートに関する。
【背景技術】
【０００２】
【特許文献１】特開昭５８−８６２７８号公報
【０００３】
従来、上下に備え付けられるケーブルガイドと、これらのケーブルガイドの間に配索される閉ループ状のケーブルと、そのケーブルに固定されると共に窓ガラスを支持するキャリアプレートと、ケーブルを駆動するケーブル駆動装置からなるドアパネルに取り付けられるウインドレギュレータが知られている。
このウインドレギュレータは、窓ガラスを上下に開閉させるものであり、ケーブルに張力を与えた状態で行われる。
【０００４】
しかし、上記のウインドレギュレータではインナーケーブルの張力を保持するケーブルガイドはそれぞれドアパネルに取り付けられ、かつ、ケーブルは閉ループ状に配索されるため、その作動するために必要な張力を取り付けと同時にケーブルに与えるのは困難である。たとえ確保できたとしても、正確に一定にするのが困難で、また、手間がかかる。
【発明の開示】
【発明が解決しようとする課題】
【０００５】
本発明は、ケーブルを配索した後、そのケーブルの張力を調整する手段を備えたキャリアプレートおよびそのキャリアプレートを備えたウインドレギュレータを提供することを目的としている。
【課題を解決するための手段】
【０００６】
本発明のキャリアプレートは、ケーブルガイドを介して配索されるケーブルを用いたウインドレギュレータに用いられる窓ガラスを支持するキャリアプレートであって、第１ケーブル係止部と、第２ケーブル係止部とを備えており、キャリアプレートが窓ガラスに対して傾いて配置され、キャリアプレートを回転させ窓ガラスを固定することにより、適切な張力を得ることができることを特徴としている。このようなキャリアプレートであって、窓ガラスの上下動を支持する窓ガラスランと摺動する突起を備えているものが好ましい。
【０００７】
本発明のウインドレギュレータは、上下に備え付けられるケーブルガイドと、これらのケーブルガイドの間に配索されるケーブルと、そのケーブルを駆動するケーブル駆動装置と、上述したキャリアプレートとからなることを特徴としている。また、前記ケーブルがインナーケーブルであるものが好ましい。
【０００８】
本発明のウインドレギュレータの取り付け方法は、ケーブルガイドとケーブルをドアパネルに取り付け、そのケーブルに取り付けられたキャリアプレートを窓ガラスと係合できるように回転させることにより、ケーブルの張力を高めることを特徴としている。また、初期張力を与えるようにしてケーブルガイドとケーブルをドアパネルに取り付ける方法が好ましい。
【発明の効果】
【０００９】
本発明のキャリアプレートは、ケーブルガイドを介して配索されるケーブルを用いたウインドレギュレータに用いられる窓ガラスを支持するキャリアプレートであって、第１ケーブル係止部と、第２ケーブル係止部とを備えており、ｋｙリアプレートが窓ガラスに対して傾いて配置され、キャリアプレートを回転させ窓ガラスを固定することにより、適切な張力を得ることができるため、ケーブルを緩めた状態でウインドレギュレータを組み付けた後、キャリアプレートに窓ガラスを取り付けるだけで、ケーブルは引っ張られケーブルの張力を高めることができる。
このようなキャリアプレートであって、窓ガラスの上下動を支持する窓ガラスランと摺動する突起を備えている場合、たとえ湾曲した窓ガラスの取り付けであっても、窓ガラスを窓ガラスランに沿って降ろすだけで、窓ガラスの下端とキャリアプレートを係合させることができ、取り付けが容易である。
【発明を実施するための最良の形態】
【００１０】
次に本発明のキャリアプレートおよびウインドレギュレータを図面を用いて説明する。
【００１１】
図１ａに示すようにキャリアプレート１０は、基板１１と、その基板の表面に設けられた第１ケーブル係止部１２と、第２ケーブル係止部１３と、基板の端部に形成された窓ガラスの下端に固定した窓ガラスホルダー１４を保持する窓ガラス係止部１５とから構成されている。この第１ケーブル係止部１２と第２ケーブル径止部１３との間には距離Ｘが設けられるように離れて形成されており、かつ、それぞれにケーブル端部を連結したときに、窓ガラスの下端を支持する窓ガラス係止部１５が窓ガラスの下端と平行にならないように構成されている。
第１ケーブル係止部１２および第２ケーブル係止部１３は、基板の中心部に設けられており、ブロック型であり、その上および下にかけてケーブルを通す溝部１６を有しており、中央にはケーブル端部の金具を挿通する挿入孔１７を有している。そして、この挿入孔１７にケーブル端部の金具を挿入し、その奥に形成されている留具１９に止めることでケーブル端部を係止するものである。
【００１２】
窓ガラス係止部１５は、基板の左右両側部に形成されており、２個の窓ガラスホルダー１４を保持する。このように２個の窓ガラスホルダー１４を備えることにより、窓ガラスとキャリアプレートの連結部を２箇所得ることができ、窓ガラスを取り付けた後、キャリアプレートの回転を防止する。また、一個の窓ガラスホルダーを備えたキャリアプレートの場合は、その窓ガラスホルダーを二箇所で係止するか、あるいは、廻り止めを設けるのが好ましい。
【００１３】
このようなキャリアプレート１０はポリブチレンテレフタレート（ＰＢＴ）、ポリアセタール（ＰＯＭ）等の合成樹脂によって形成される。しかし、溶融亜鉛メッキ鋼板（ＳＧＣＣ）、アルミニウム（Ａｌ）等の金属製であっても構わない。
【００１４】
このように構成されているため、図１ｂに示すようにケーブル２７をそれぞれ第１ケーブル係止部１２および第２ケーブル径止部１３に係止すると、想像線に示すようにキャリアプレート１０全体は傾き、つまり、窓ガラス係止部１５が傾く。そして、このように傾いたキャリアプレート１０を窓ガラス係止部１５が窓ガラスの設置位置となるようにガラスの自重により矢印方向に回転させることにより、距離Ｘを半径となす円の外周（回転角度分）だけケーブル２７が巻き取られるものである。
【００１５】
図２に示すキャリアプレート２０は、キャリアプレートを回転させるケーブル張力調整手段の他に、第１ケーブル係止部２２および／または第２ケーブル係止部２３にケーブル張力を微調節する機能を有するものである。
この第１ケーブル径止部２２および／または第２ケーブル径止部２３は、中空のブロック型の外郭２４と、その外郭の上部に形成されたケーブルを通す溝部２５と、ケーブル端部の金具を挿通する挿入孔２６と、その内部に形成されている留具２７と、留具２７と外郭２４の内面との間であって外郭内に収納される圧縮コイルバネ２８とを備えている。そして、ケーブル端部の金具が、圧縮コイル２８と外郭の内面との間に設置されるものである。
【００１６】
このように形成されているため、圧縮コイル２８がケーブル張力の微小な弛みを吸収する。これは、ウインドレギュレータの使用により生じたケーブルの弛みを吸収して調整するものである。他の構成は図１のキャリアプレート１０と実質的に同じである。
【００１７】
次に図１（図２）のキャリアプレート１０（２０）を用いたウインドレギュレータの一例を図３に示す。ウインドレギュレータ３０は、ドアＤのドアパネルＰに取り付けられるものであり、上下に備え付けられる４つのケーブルガイド３１と、これらのケーブルガイドの間に８字状に配索されるケーブル３２と、そのケーブルに固定されると共に窓ガラス３３の下端３３ａを支持するキャリアプレート１０と、ケーブルを前後に駆動するケーブル駆動装置３４とからなる。ケーブル３２としてインナーケーブルを用いるのが好ましい。しかし、ケーブルガイドと駆動装置との間をインナーケーブルとアウターケーシングとからなるコントロールケーブルとしてもよい。ケーブルガイド３１としては、ドアパネルＰに回転自在に取り付けられるプーリ、あるいはドアパネルＰに固定される円弧状のガイド溝を備えたスライドガイドなどが用いられる。
【００１８】
そして、このウインドレギュレータ３０は、次のようにして組み立てられる。初めにケーブルガイド３１および駆動装置３４をドアパネルＰに、ケーブル３２と共に取り付ける。このとき、ケーブルには初期張力を与えてもよい。そのとき、キャリアプレート１０の自重（あるいはケーブルの初期張力）により第１ケーブル径止部１２および第２ケーブル係止部１３とを結ぶ線と、ケーブル３２とが平行に近い状態となるように、キャリアプレート全体が傾く。次に、キャリアプレートの窓ガラス係止部１５と窓ガラスの下端３３ａとが平行となるように、キャリアプレート１０を回転させる。これにより、ケーブル３２の張力が高まり、ウインドレギュレータの駆動に充分な張力となる。
このキャリアプレートの回転と同時に、窓ガラスホルダー１４をキャリアプレート１０に連結させる。このとき、キャリアプレートは窓ガラスホルダー１４を二個備えているため、窓ガラス設置後、回転することがない。
ここで図３では２つあるキャリアプレートの両方にケーブル張力の調整手段を設けているが、一方にのみその手段を設け、他方の方を通常のキャリアプレートとしてもよい。
【００１９】
図４ａに図１のキャリアプレート１０にドアの窓ガラスランＲと摺動する突起１８を備えたキャリアプレート１０ａ（図４ｂ参照）を備えたウインドレギュレータ３５を示す。このウインドレギュレータ３５は、ドアパネルにプーリ等をケーブルと共に取り付け、その後、回転させる前のキャリアプレート１０ａの突起を窓ガラスランＲに挿入する。このウインドレギュレータ３５では、キャリアプレートは突起が上から下に回転するように設計されている。このようにキャリアプレート１０ａが構成されているため、窓ガラス３３をガラスランＲに沿って下降させるだけで、窓ガラス３３の下端がキャリアプレートの窓ガラスホルダー１４と係合し、かつ、キャリアプレート１０ａを回転させることができる。そのため、窓ガラスとキャリアプレートの係合がスムースに行える。このものは、特に窓ガラスが湾曲した窓ガラスである場合、好ましい。また、図４ｄに示すように、キャリアプレートの突起が下から上に回転するようにしてもよい。この場合、キャリアプレートを回転させた後に突起１８をガラスランＲに引っ掛けるようにする。
このキャリアプレート１０ａは図３のようケーブルガイドを４個持っているウインドレギュレータに用いてもよい。
【００２０】
また、本発明のキャリアプレートを備えたウインドレギュレータは、キャリアプレートによる第１のケーブル調整手段と共に第２のケーブル調整手段を備えていてもよい。このように２つの手段を有することにより、ウインドレギュレータを組み立てるとき、ケーブルの張力を一層高めることができる。
【００２１】
図５ａに示す駆動装置５１は、ケーブル調整手段を備えているものであり、ウインドレギュレータに用いることができるものである。この駆動装置５１を図２のウインドレギュレータ２０の駆動装置に代えて用いることにより、ケーブルの張力を一層高めて組み立てることができる。
【００２２】
駆動装置５１は、ドラム５２と、そのドラムの上面と当接するラチェットプレート５３と、そのラチェットプレートの上に設けられた波ワッシャ５４と、それらを覆うハウジング５５およびカバー５６と、ドラムの下端と連結するモータ５７とからなる。
【００２３】
ドラム５２は、円柱状のものであり、側面に形成されたケーブル溝５８と、上面に形成された上向きラチェット５９と、下端に形成されたモータ係合部６０とからなる。
ラチェットプレート５３は、下向きラチェット６１がドラムの上向きラチェット５９と噛合うようにその下面に形成されている。
波ワッシャ５４は、ラチェットプレート５３をドラム５２に押し付けるように付勢する。
前記駆動装置５１に導入される２本のインナーケーブルのうち一方のインナーケーブルはドラム５２に巻かれ、その端部はドラム５２に係止されている。他方のインナーケーブルはドラムに巻かれ、その端部はラチェットプレート５３に係止されている。
【００２４】
このように構成されているため、図５ｂに示すようにモータを取り付ける前の状態では、治具６３等によりドラムを、ドラムおよびラチェットプレートのラチェット面がずれるように回転させることができる。そして、このようにドラムを回転させることにより、ラチェット面のずれた分だけケーブルをドラムのケーブル溝に巻くことができる。つまり、その巻かれた分だけケーブル張力を大きくすることができる。
【００２５】
また、このケーブル駆動装置５１は、モータ５７をドラムの下端のモータ係合部６２と連結させることにより、ドラムをハウジング方向に押し上げ、波ワッシャを潰し、ラチェット面がずれるスペースがなくなるように構成されている。このため、モータをドラムに連結させることにより、ドラムはケーブルを駆動する。
【００２６】
このような駆動装置５１を備えたウインドレギュレータ５０の取り付け方法は、はじめにケーブルガイド４６およびドラム５２をドアパネルに取り付ける（図６ｂ参照）。ついで、キャリアプレート１０を回転させて、窓ガラスを取り付け、ケーブル４７の張力を高める。さらに、ドラム５２にモータ５７を装着して、ケーブル４７の張力を一層高める（図６ｂ参照）。
【００２７】
また、図７に示すように分割式のドラムを備えた駆動装置６５を使用しても良い。このケーブル駆動装置６５は、ドラムユニット６６と、モータを備えたモータユニット６７とを有する。
【００２８】
ドラムユニット６６は、ドラム６８と、そのドラムに巻かれたケーブル６９と、そのドラムおよびケーブルの外周を覆うようにしてそれらを半径方向内側に付勢するバネ部材７０と、それらを覆うドラムハウジング７１とを備えている。このドラムハウジング７１の下端は、開口しており、後述するドラムの中心孔と連通している。
ドラム６８は、扇状にドラム片７２に６分割されるものであり、側面に形成されたケーブルが巻かれる溝７３と、上下に貫通する中心孔７４とを備えており、この中心孔７４の内面７４ａは、上に向かって狭くなるようにテーパ状に形成されている。
【００２９】
モータユニット６７は、モータ軸７６を備えたモータ７７と、そのモータを覆うモータハウジング７８と、モータ軸に取り付けられた回転軸７９とからなる。
【００３０】
駆動装置６５は、モータユニットの回転軸７９をドラムユニットの中心孔７４に挿入して組み立てることにより、ドラム片７２が密に当接した状態（縮径状態）から、ドラム片７２を半径方向外側に拡げ、ドラム６８全体の径を大きくすることができる。つまり、溝７３の巻き径を大きくすることができる（拡径状態）。
そして、このようにドラムが縮径状態から拡径状態に変わると同時に、このドラム６８に巻きつけられているグリースがつけられたケーブルは溝７３を滑る。つまり、ドラムに巻きつけられるケーブルの長さが増加し、その分だけ配索されているケーブル長を短くすることができる。
【００３１】
このような駆動装置６５を備えたウインドレギュレータも、図６のウインドレギュレータ５０と同様に、はじめにケーブルガイドおよびドラムユニット６６をドアパネルに取り付け、ついで、キャリアプレート１０を回転させて、窓ガラスを取り付け、ケーブル４７の張力を高める。さらに、ドラム５２にモータ５７を装着して、ケーブル４７の張力を一層高める。
【００３２】
次に示すウインドレギュレータ８０のインナーケーブル張力調整方法は、図８に示すように、ドアパネルに移動自在に取り付けられる張力調整プーリ８１を用いるものである。このようなウインドレギュレータ８０の取り付け方法は、プーリ、駆動装置のドラムユニットをインナーケーブルと共にドアパネルに取り付けた後（図８ａ参照）、この張力調整プーリ８１を矢印方向に移動させてインナーケーブルの張力を高め、さらに、キャリアプレート１０を回転させて窓ガラスを取り付けて、インナーケーブルの張力をさらに高める（図８ｂ参照）。この取り付け方法において、キャリアプレート１０を先に回転させてもよいが、キャリアプレートを先に回転させた後は、窓ガラスの重量がインナーケーブルにかかるため、後の方が取り付けが容易である。
【００３３】
また、図９に示すようにウインドレギュレータ８５のプーリ８６あるいは駆動装置８７に張力調整プーリの作用をもたせてもよい。この場合、プーリ８６および／または駆動装置８７が移動可能に取り付けられ、これらを移動させることによってインナーケーブルの張力を調整することができる。この場合も各部品をドアパネルに取り付けた後、プーリ８６および／または、駆動装置８７を移動させ、その後、キャリアプレート１０を回転させて窓ガラスを取り付け、インナーケーブルの張力を高める。この取り付け方法においても、キャリアプレートによる張力調整を先にやっても良いが、後の方が前述した理由により好ましい。
さらに、上記の張力調整プーリ８１を備えてもよい。
【図面の簡単な説明】
【００３４】
【図１】図１ａは本発明のキャリアプレートの一実施形態を示す正面図であり、図１ｂはそのキャリアプレートにケーブルを連結させたときを示す正面図である。
【図２】本発明のキャリアプレートの他の実施形態を示す正面図である。
【図３】本発明のウインドレギュレータの一実施形態を備えたドアを示す側面図である。
【図４】図４ａ、ｄは本発明のウインドレギュレータの他の実施形態を示す側面図であり、図４ｂはそれに用いられる他の形態のキャリアプレートであり、図４ｃは図４ａのＸ−Ｘ線断面図である。
【図５】図５ａ、ｂは本発明のウインドレギュレータに用いることができる駆動装置の一実施形態を示す断面側面図である。
【図６】図６ａは本発明のウインドレギュレータのさらに他の実施形態のケーブル張力の調整前を示す側面図であり、図６ｂはそのケーブル張力を調整後の側面図である。
【図７】図７ａ〜ｄは本発明のウインドレギュレータに用いることができる駆動装置の他の実施形態を示す断面側面図である。
【図８】図８ａは本発明のウインドレギュレータのさらに他の実施形態のケーブル張力の調整前を示す側面図であり、図９ｂはそのケーブル張力を調整後の側面図である。
【図９】本発明のウインドレギュレータのさらに他の実施形態を示す側面図である。
【符号の説明】
【００３５】
１０、１０ａ  キャリアプレート
１１  基板
１２  第１ケーブル係止部
１３  第２ケーブル径止部
１４  窓ガラスホルダー
１５  窓ガラス係止部
１６  溝部
１７  貫通孔
１８  突起
１９  留具
２０  キャリアプレート
２２  第１ケーブル径止部
２３  第２ケーブル径止部
２４  外郭
２５  溝部
２６  貫通孔
２７  留具
２８  圧縮コイルバネ
３０  ウインドレギュレータ
３１  ケーブルガイド
３２  ケーブル
３３  窓ガラス
３３ａ  下端
３４  ケーブル駆動装置
３５  ウインドレギュレータ
３６  ケーブルガイド
５０  ウインドレギュレータ
５１  駆動装置
５２  ドラム
５３  ラチェットプレート
５４  波ワッシャ
５５  ハウジング
５６  カバー
５７  モータ
５８  ケーブル溝
５９  上向きラチェット
６０  モータ係合部
６１  下向きラチェット
６２  モータ係合部
６３  治具
６５  駆動装置
６６  ドラムユニット
６７  モータユニット
６８  ドラム
６９  ケーブル
７０  バネ部材
７１  ドラムハウジング
７２  ドラム片
７３  溝
７４  中心孔
７４ａ  内面
７６  モータ軸
７７  モータ
７８  モータハウジング
７９  回転軸
８０  ウインドレギュレータ
８１  張力調整プーリ
８５  ウインドレギュレータ
８６  プーリ
８７  駆動装置
【図１】
2007211468.tif 000003
【図２】
2007211468.tif 000004
【図３】
2007211468.tif 000005
【図４】
2007211468.tif 000006
【図５】
2007211468.tif 000007
【図６】
2007211468.tif 000008
【図７】
2007211468.tif 000009
【図８】
2007211468.tif 000010
【図９】
2007211468.tif 000011